(57)【要約】      （修正有）【課題】ユーザの鑑賞状況に合わせて３次元表示の映像を変化させると共に、２次元表示を行う場合に、開閉操作をスムーズに行うことができる携帯端末を提供する。【解決手段】第１の筐体と第２の筐体とを開閉する際に、側面視で、第１固定プレートの表面側角部（第１の表示装置の表面側角部）と、第２固定プレートの表面側角部（第２の表示装置の表面側角部）とを、互いに当接した状態でヒンジ部に対して直線状の軌跡で移動させる。３次元表示モードにおいて開閉操作時には、第１の表示装置のみが３次元画像を表示し、開閉角度が大きくなるにつれて３次元表示を大きな画像から小さな画像に徐々に変化させ、全開操作時には、連続した第１の表示装置及び第２の表示装置の両方で、１つの３次元画像を表示するように切り換える。【選択図】図２２
2012123205.tif 000002
【特許請求の範囲】
【請求項１】
第１の表示装置を有する第１の筐体と、第２の表示装置を有する第２の筐体とが、ヒンジ部を中心に折畳み開閉可能に接続された折畳み式携帯端末において、
上記ヒンジ部は、上記第１の筐体と第２の筐体とを開閉する際に、側面視で、上記第１の表示装置の表面側角部と、上記第２の表示装置の表面側角部とが、互いに当接した状態で該ヒンジ部に対して直線状の軌跡で移動するように、該第１の筐体と第２の筐体とを接続し、
上記第１の表示装置及び第２の表示装置は、２次元画像だけでなく３次元画像も表示可能に構成され、
３次元表示モードにおいて、上記第１の筐体を上記第２の筐体に対して開閉する開閉操作時には、上記第１の表示装置のみが３次元画像を表示し、上記第１の表示装置の上記第２の表示装置に対する開閉角度が大きくなるにつれて上記３次元表示が奥まった表示から飛び出した表示に徐々に変化し、
上記第１の筐体及び上記第２の筐体が１８０°開いた全開操作時には、連続した上記第１の表示装置及び上記第２の表示装置の両方で、１つの３次元画像を表示するように切換可能に構成されている
ことを特徴とする折畳み式携帯端末。
【請求項２】
第１の表示装置を有する第１の筐体と、第２の表示装置を有する第２の筐体とが、ヒンジ部を中心に折畳み開閉可能に接続された折畳み式携帯端末において、
上記ヒンジ部は、上記第１の筐体と第２の筐体とを開閉する際に、側面視で、上記第１の表示装置の表面側角部と、上記第２の表示装置の表面側角部とが、互いに当接した状態で該ヒンジ部に対して直線状の軌跡で移動するように、該第１の筐体と第２の筐体とを接続し、
上記第１の表示装置及び第２の表示装置は、２次元画像だけでなく３次元画像も表示可能に構成され、
３次元表示モードにおいて、上記第１の筐体を上記第２の筐体に対して開閉する開閉操作時には、上記第１の表示装置のみが３次元画像を表示し、上記第１の表示装置の上記第２の表示装置に対する開閉角度が大きくなるにつれて上記３次元表示が小さな画像から大きな画像に徐々に変化し、
上記第１の筐体及び上記第２の筐体が１８０°開いた全開操作時には、連続した上記第１の表示装置及び上記第２の表示装置の両方で、１つの３次元画像を表示するように切換可能に構成されている
ことを特徴とする折畳み式携帯端末。
【請求項３】
請求項１又は２に記載の折畳み式携帯端末において、
上記ヒンジ部は、
上記第１の筐体の対向する各側面にそれぞれ連結された第１及び第２ガイドピンと、
第１方向に延び、上記第１ガイドピンの移動軌跡を規制する第１ガイド孔及び該第１方向とは異なる第２方向に延び、上記第２ガイドピンの移動軌跡を規制する第２ガイド孔と、
上記第２の筐体の対向する各側面にそれぞれ連結された第３及び第４ガイドピンと、
第３方向に延び、上記第３ガイドピンの移動軌跡を規制する第３ガイド孔及び該第３方向とは異なる第４方向に延び、上記第４ガイドピンの移動軌跡を規制する第４ガイド孔とを備えている
ことを特徴とする折畳み式携帯端末。
【請求項４】
請求項１乃至３のいずれか１つに記載の折畳み式携帯端末において、
上記全開操作時に、該第１及び第２の筐体の裏面側が平坦となり、該平坦な状態でロック可能に構成されている
ことを特徴とする折畳み式携帯端末。
【請求項５】
請求項１乃至４のいずれか１つに記載の折畳み式携帯端末において、
上記第１の表示装置は、上記第１の筐体内でスライド移動可能に配置される第１表示モジュールと、該第１の筐体に固定されて該第１表示モジュールの表面を覆う第１固定プレートとを備え、
上記第２の表示装置は、上記第２の筐体内でスライド移動可能に配置される第２表示モジュールと、該第２の筐体に固定されて該第２表示モジュールの表面を覆う第２固定プレートとを備え、
上記開閉途中で、側面視で、上記第１固定プレートの表面側角部と、上記第２固定プレートの表面側角部とが互いに当接すると共に、上記第１及び第２表示モジュールが上記ヒンジ部側端部で接触するように構成されている
ことを特徴とする折畳み式携帯端末。
【請求項６】
請求項５に記載の折畳み式携帯端末において、
上記第１表示モジュールは、表面側に第１表示パネルを備え、
上記第２表示モジュールは、表面側に第２表示パネルを備え、
上記第１及び第２表示パネルのヒンジ部側表面端部に設けた導光素子によって表示領域が該第１及び第２表示パネルのヒンジ部側端部一杯まで広げられている
ことを特徴とする折畳み式携帯端末。
【請求項７】
請求項５又は６に記載の折畳み式携帯端末において、
上記第１及び第２表示モジュールは、それぞれ付勢部材によって、互いに当接するように付勢されている
ことを特徴とする折畳み式携帯端末。
【請求項８】
請求項５乃至７のいずれか１つに記載の折畳み式携帯端末において、
上記第１及び第２表示パネルは、視差バリア方式液晶よりなる
ことを特徴とする折畳み式携帯端末。
【請求項９】
請求項５乃至７のいずれか１つに記載の折畳み式携帯端末において、
上記第１及び第２表示パネルは、２次元表示時には視差バリアを透明化し、３次元表示時には視差バリアを出現させるスイッチパネルを有し、
上記スイッチパネルの視差バリアの並ぶ方向を上記ヒンジ部の軸心方向に垂直及び平行のいずれかに切換可能に構成されている
ことを特徴とする折畳み式携帯端末。
【発明の詳細な説明】
【技術分野】
【０００１】
本発明は、第１の表示装置を有する第１の筐体と、第２の表示装置を有する第２の筐体とが、ヒンジ部を中心に折畳み開閉可能に接続された折畳み式携帯端末に関し、特に３次元表示の技術に関する。
【背景技術】
【０００２】
高画質の表示が可能な表示装置として、例えば、液晶表示装置（ＬＣＤ）やプラズマ表示装置（ＰＤＰ）が知られている。そして、タッチパネル等の技術を利用することにより、折畳み携帯端末において、一対の筐体にそれぞれ表示装置を設けることが行われてきている。
【０００３】
一方、コンピュータグラフィックスやゲームなどの立体的な映像を楽しめる３次元表示を行える表示装置が最近注目を浴びている。そのような表示装置において、例えば、特許得文献１では、机等に載置される立体画像表示装置において、３次元表示面上の表示空間及び表示空間の近傍に配置されたユーザが把持する把持デバイスの位置及び向きを検出し、把持デバイスの位置及び向きに基づいて、把持デバイスと連続又は近接する位置に３次元映像を表示させるための演算を行い、計算処理工程による演算結果に基づいて、把持デバイスと連続又は近接する位置に３次元映像を連動３次元映像として表示させるようにしている。
【０００４】
また、特許文献２の表示制御装置では、検知手段が、対象物の３次元位置に基づいて対象物の動きを検知し、表示制御手段が対象物の動きとして、表示部の３次元位置に基づく複数の検知空間のうち、対象物における第１の検知空間内への移動が検知されたことに対応して、アプリケーションを選択するために表示部の画面上に表示されるアイコンを再配置して表示させるようにしている。これにより、表示パネル面とその上面空間に位置する対象物の位置を検知して対応する表示制御を行うようにしている。
【先行技術文献】
【特許文献】
【０００５】
【特許文献１】特開２００８−２１９７８８号公報
【特許文献２】特開２０１０−９２５０５号公報
【発明の概要】
【発明が解決しようとする課題】
【０００６】
ところで、３次元表示の映像を見るときに、折畳み式携帯端末での映像をできるだけ大きくして鑑賞したい場合がある。逆に周りに人がいる場合、他人に見られることなく映像を楽しむには、映像を小さくしたいという場合もある。
【０００７】
しかしながら、従来の３次元表示を行える表示装置で、そのような鑑賞状況に合わせて画像を調整するものはない。
【０００８】
一方、折畳み式携帯端末の両方の表示装置で２次元表示を行う場合において、いずれの角度においても２つの画面を連続させて鑑賞できるようにすれば、開閉操作時及び全開操作時のいずれの場合でも大きな画面で２次元画像を楽しむこともできる。
【０００９】
本発明は、かかる点に鑑みてなされたものであり、その目的とするところは、折畳み式携帯端末において、ユーザの鑑賞状況に合わせて３次元表示の映像を変化させ、快適に３次元映像を楽しむことができるようにすると共に、２次元表示を行う場合に、開閉途中において２つの画面の２次元画像を連続させながら、開閉操作をスムーズに行うことができるようにすることにある。
【課題を解決するための手段】
【００１０】
上記の目的を達成するために、この発明では、ヒンジ部により、開閉途中の第１の表示装置の表面側角部及び第２の表示装置の表面側角部の側面視の軌跡を規制すると共に、３次元表示モードにおいて、開閉角度が大きくなるにつれて３次元表示が奥まった表示から飛び出した表示に、又は小さい表示から大きい表示に変化させ、全開時には、２つの表示装置で１つの大きな３次元画像を表示するようにした。
【００１１】
具体的には、第１の発明では、第１の表示装置を有する第１の筐体と、第２の表示装置を有する第２の筐体とが、ヒンジ部を中心に折畳み開閉可能に接続された折畳み式携帯端末を前提とする。
【００１２】
そして、上記ヒンジ部は、上記第１の筐体と第２の筐体とを開閉する際に、側面視で、上記第１の表示装置の表面側角部と、上記第２の表示装置の表面側角部とが、互いに当接した状態で該ヒンジ部に対して直線状の軌跡で移動するように、該第１の筐体と第２の筐体とを接続し、
上記第１の表示装置及び第２の表示装置は、２次元画像だけでなく３次元画像も表示可能に構成され、
３次元表示モードにおいて、上記第１の筐体を上記第２の筐体に対して開閉する開閉操作時には、上記第１の表示装置のみが３次元画像を表示し、上記第１の表示装置の上記第２の表示装置に対する開閉角度が大きくなるにつれて上記３次元表示が奥まった表示から飛び出した表示に徐々に変化し、
上記第１の筐体及び上記第２の筐体が１８０°開いた全開操作時には、連続した上記第１の表示装置及び上記第２の表示装置の両方で、１つの３次元画像を表示するように切換可能に構成されている。
【００１３】
上記の構成によると、ヒンジ部により、第１の筐体と第２の筐体とを開閉する際に、第１の表示装置の表面側角部と、第２の表示装置の表面側角部とが互いに干渉せずにヒンジ部に対して直線状の軌跡で移動するように規制される。このため、第１の表示装置の表面（カバー）及び第２の表示装置の表面（カバー）が、それぞれ厚みをもっていても、互いに当接した状態を保ちながら、スムーズに全閉操作を行うことが可能になる。携帯場所で３次元画像を鑑賞する場合、周囲の人に見られたくない場合には、第１の筐体と第２の筐体との開閉角度を小さくすることで、３次元画像が奥まった位置で表示されるので、周りの視線を気にせず鑑賞が行える。一方、周囲の人に見られてもよい場合には、開閉角度を徐々に大きくして３次元画像をより飛び出した状態で鑑賞すれば、より臨場感を得ながら鑑賞が行える。そして、周囲の人に見せたいときやできるだけ大きな画面で鑑賞したいときには、ヒンジ部の機能により、全開操作時に第１の表示装置による３次元画像と第２の表示装置に夜３次元画像とを連続させることで、最も大きく、且つ飛び出した臨場感のある３次元画像を表示できる。
【００１４】
第２の発明では、上記第１の発明と同様の折畳み式携帯端末を前提とし、
上記ヒンジ部は、上記第１の筐体と第２の筐体とを開閉する際に、側面視で、上記第１の表示装置の表面側角部と、上記第２の表示装置の表面側角部とが、互いに当接した状態で該ヒンジ部に対して直線状の軌跡で移動するように、該第１の筐体と第２の筐体とを接続し、
上記第１の表示装置及び第２の表示装置は、２次元画像だけでなく３次元画像も表示可能に構成され、
３次元表示モードにおいて、上記第１の筐体を上記第２の筐体に対して開閉する開閉操作時には、上記第１の表示装置のみが３次元画像を表示し、上記第１の表示装置の上記第２の表示装置に対する開閉角度が大きくなるにつれて上記３次元表示が小さな画像から大きな画像に徐々に変化し、
上記第１の筐体及び上記第２の筐体が１８０°開いた全開操作時には、連続した上記第１の表示装置及び上記第２の表示装置の両方で、１つの３次元画像を表示するように切換可能に構成されている。
【００１５】
上記の構成によると、ヒンジ部により、第１の筐体と第２の筐体とを開閉する際に、第１の表示装置の表面側角部と、第２の表示装置の表面側角部とが互いに干渉せずにヒンジ部に対して直線状の軌跡で移動するように規制される。このため、第１の表示装置の表面（カバー）及び第２の表示装置の表面（カバー）が、それぞれ厚みをもっていても、互いに当接した状態を保ちながら、スムーズに全閉操作を行うことが可能になる。携帯場所で３次元画像を鑑賞する場合、周囲の人に見られたくない場合には、第１の筐体と第２の筐体との開閉角度を小さくすることで、小さな３次元画像が表示されるので、周りの視線を気にせず鑑賞が行える。一方、周囲の人に見られてもよい場合には、開閉角度を徐々に大きくしてより大きな３次元画像で鑑賞すれば、より臨場感を得ながら鑑賞が行える。そして、周囲の人に見せたいときやできるだけ大きな画面で鑑賞したいときには、ヒンジ部の機能により、全開操作時に第１の表示装置による３次元画像と第２の表示装置に夜３次元画像とを連続させることで、最も大きな臨場感のある３次元画像を表示できる。
【００１６】
第３の発明では、第１又は第２の発明において、
上記ヒンジ部は、
上記第１の筐体の対向する各側面にそれぞれ連結された第１及び第２ガイドピンと、
第１方向に延び、上記第１ガイドピンの移動軌跡を規制する第１ガイド孔及び該第１方向とは異なる第２方向に延び、上記第２ガイドピンの移動軌跡を規制する第２ガイド孔と、
上記第２の筐体の対向する各側面にそれぞれ連結された第３及び第４ガイドピンと、
第３方向に延び、上記第３ガイドピンの移動軌跡を規制する第３ガイド孔及び該第３方向とは異なる第４方向に延び、上記第４ガイドピンの移動軌跡を規制する第４ガイド孔とを備えている。
【００１７】
上記の構成によると、第１〜第４ガイド孔の形状を調整することにより、各ガイドピンの移動軌跡を規制することで、各表面側角部の移動軌跡を適切に調整することができる。このため、各表面側角部が近付きすぎず且つ離れすぎないような移動規制が可能となる。このため、開閉途中において連続した大きな２次元画像を楽しむことができる。
【００１８】
第４の発明では、第１乃至第３のいずれか１つの発明において、
上記第１及び第２の筐体の開閉角度が１８０度になったときに、該第１及び第２の筐体の裏面側が平坦となり、その状態でロック可能に構成されている。
【００１９】
上記の構成によると、１８０°の全開時に裏面側が完全に平坦なので、机上等においてもぐらつかず、操作が容易である。また、全開状態で固定されるので、適度に傾ければ２次元画像及び３次元画像のいずれを表示する場合でも連続した大きな画面が、さらに見やすくなる。
【００２０】
第５の発明では、第１乃至第４のいずれか１つの発明において、
上記第１の表示装置は、上記第１の筐体内でスライド移動可能に配置される第１表示モジュールと、該第１の筐体に固定されて該第１表示モジュールの表面を覆う第１固定プレートとを備え、
上記第２の表示装置は、上記第２の筐体内でスライド移動可能に配置される第２表示モジュールと、該第２の筐体に固定されて該第２表示モジュールの表面を覆う第２固定プレートとを備え、
上記開閉途中で、側面視で、上記第１固定プレートの表面側角部と、上記第２固定プレートの表面側角部とが互いに当接すると共に、上記第１及び第２表示モジュールが上記ヒンジ部側端部で接触するように構成されている。
【００２１】
すなわち、各表示モジュールが各筐体に固定された各固定プレートの奥側に配置されていると、各固定プレート間の間隔が開かないように第１及び第２の筐体の開閉が行える場合であっても、各表示モジュール間の間隔が開いてしまって各表示モジュールの画像を連続して表示することができない。しかし、上記の構成によると、第１及び第２の筐体の開閉操作に合わせて各モジュールが各筐体内で互いにヒンジ部側端部に向かってスライド移動するので、各固定プレートが表面側角部で接触すると共に、各表示モジュールのヒンジ部側端部を接触させた状態を保つことができる。このことで、開閉操作途中で連続した２次元画像の表示が可能となる。
【００２２】
第６の発明では、第５の発明において、
上記第１表示モジュールは、表面側に第１表示パネルを備え、
上記第２表示モジュールは、表面側に第２表示パネルを備え、
上記第１及び第２表示パネルのヒンジ部側表面端部に設けた導光素子によって表示領域が該第１及び第２表示パネルのヒンジ部側端部一杯まで広げられている。
【００２３】
すなわち、表示パネルとして代表的な液晶パネルは、複数の画素が配列された表示領域と、その周辺の額縁領域とを有し、この額縁領域には、一対のガラス基板を互いに対向させるとともに液晶層を密閉して保持するためのシール部や、画素を駆動するための駆動回路実装部等が設けられている。このため、液晶表示パネルには表示に寄与しない額縁領域が存在するので、複数の液晶表示パネルを配列することによって大画面を構成すると、画像に継ぎ目が生じてしまう。この問題は、液晶表示装置に限らず、ＰＤＰ、有機ＥＬ表示装置、電気泳動表示装置など、直視型の表示装置に共通の問題となっている。しかし、上記の構成によると、第１及び第２表示パネルのヒンジ部側表面端部に設けた導光素子によって表示領域が、第１及び第２表示パネルのヒンジ部側端部一杯まで広げられるので、各表示領域が完全に連続するように見せることができる。このため、第１及び第２の筐体の開閉途中で連続した２次元画像を楽しめると共に、全開状態では、２次元画像及び３次元画像のいずれに場合でも２つの画像を連続させた継ぎ目のない大画面の実現が可能となる。
【００２４】
第７の発明では、第５又は第６の発明において、
上記第１及び第２表示モジュールは、それぞれ付勢部材によって、互いに当接するように付勢されている。
【００２５】
上記の構成によると、簡単な構成で第１及び第２の筐体の開閉操作に合わせて各表示モジュールを互いに接触させながらスライド移動させることができる。このため、開閉途中及び全開状態のいずれの場合でも確実に連続した画像を表示することができる。
【００２６】
第８の発明では、第５乃至第７のいずれか１つの発明において、
上記第１及び第２表示パネルは、視差バリア方式液晶よりなる。
【００２７】
上記の構成によると、メガネを用いることなく簡単な構成で３次元表示が行えるので、いつでもどこでも気軽に３次元画像を楽しめる。
【００２８】
第９の発明では、第５乃至第７のいずれか１つの発明において、
上記第１及び第２表示パネルは、２次元表示時には視差バリアを透明化し、３次元表示時には視差バリアを出現させるスイッチパネルを有し、
上記スイッチパネルの視差バリアの並ぶ方向を上記ヒンジ部の軸心方向に垂直及び平行のいずれかに切換可能に構成されている。
【００２９】
上記の構成によると、折畳み式携帯端末の持ち方に合わせて視差バリア及び左右の目に対応する画像を配列させることで、上下に開くように持った場合でも、左右に開くように持った場合でも臨場感のある３次元表示が表示される。
【発明の効果】
【００３０】
以上説明したように、本発明によれば、第１の筐体と第２の筐体とを接続しているヒンジ部によって、第１の筐体と第２の筐体とを開閉する際に、側面視における第１の表示装置の表面側角部と、第２の表示装置の表面側角部との移動軌跡を規制するようにしながら、開閉角度に合わせて３次元画像の飛び出し具合や、大きさを調整できるようにし、全開時に第１の表示装置及び第２の表示装置の３次元画像を連続させて表示させるようにしたことにより、ユーザの鑑賞状況に合わせて３次元表示の映像を変化させ、快適に３次元映像を楽しむことができると共に、２次元表示を行う場合に、開閉途中において２つの画面の２次元画像を連続させながら、開閉操作をスムーズに行うことができる。
【図面の簡単な説明】
【００３１】
【図１】本発明の実施形態１にかかる折畳み式携帯端末の全開状態を示す斜視図である。
【図２】折畳み式携帯端末を閉じる途中の状態を示す斜視図である。
【図３】折畳み式携帯端末を閉じる途中の状態を示す斜視図である。
【図４】折畳み式携帯端末を閉じる途中の状態を示す斜視図である。
【図５】折畳み式携帯端末を閉じる途中の状態を示す斜視図である。
【図６】折畳み式携帯端末の全閉状態を示す斜視図である。
【図７】折畳み式携帯端末の全開状態を示す縦断面図である。
【図８】折畳み式携帯端末を閉じる途中の状態を示す縦断面図である。
【図９】折畳み式携帯端末の全閉状態を示す縦断面図である。
【図１０】図７のＸ部拡大断面図である。
【図１１】図８のXI部拡大断面図である。
【図１２】図９のXII部拡大断面図である。
【図１３】第１及び第２固定プレートを取り外してストッパが見えるようにした図１相当図である。
【図１４】ストッパを示す拡大斜視図である。
【図１５】全開状態におけるヒンジ部を拡大して示す斜視図である。
【図１６】閉じる途中のヒンジ部を拡大して示す斜視図である。
【図１７】全閉状態におけるヒンジ部を拡大して示す斜視図である。
【図１８】視差バリア方式の原理を説明する説明図である。
【図１９】スイッチ液晶を用いた２次元表示と３次元表示との切り換えの原理を説明する説明図であり、（ａ）が２次元表示時を、（ｂ）が３次元表示時を示す。
【図２０】画像処理を行う各構成要素の概略を示すブロック図である。
【図２１】画像処理の流れを説明するフローチャートである。
【図２２】３次元画像の大きさの変化を示す説明図であり、（ａ）が開閉角度が９０°のときを示し、（ｂ）が全開操作時を示す。
【図２３】（ａ）が３次元画像の飛び出し感を感じさせる原理を説明する説明図であり、（ｂ）が３次元画像の奥行き感を感じさせる原理を説明する説明図である。
【図２４】本発明の実施形態２にかかる折畳み式携帯端末の全開状態を表面側から見た斜視図である。
【図２５】折畳み式携帯端末の全開状態を裏面側から見た斜視図である。
【図２６】折畳み式携帯端末を閉じる途中の状態を表面側から見た斜視図である。
【図２７】折畳み式携帯端末を閉じる途中の状態を裏面側から見た斜視図である。
【図２８】折畳み式携帯端末の全閉近傍の状態を示す斜視図である。
【図２９】全開状態を示す縦断面図である。
【図３０】閉じる途中の状態を示す縦断面図である。
【図３１】さらに閉じた状態を示す縦断面図である。
【図３２】全閉状態を示す縦断面図である。
【図３３】その他の実施形態にかかるストッパを示す拡大平面図である。
【発明を実施するための形態】
【００３２】
以下、本発明の実施形態を図面に基づいて説明する。
【００３３】
（実施形態１）
図１〜図６は本発明の実施形態１の折畳み式携帯端末１を示し、この折畳み式携帯端末１は、第１の表示装置２を有する第１の筐体３と、第２の表示装置４を有する第２の筐体５とを有し、これら第１及び第２の筐体３，５が、ヒンジ部６を中心に折畳み開閉可能に接続されている。第１及び第２の筐体３，５の形状は特に限定されないが、本実施形態では、説明の簡略化のために、第１及び第２の筐体３，５の形状は、左右に長い矩形板状とし、ヒンジ部６が左右に延びて、上下の第１及び第２の筐体３，５がヒンジ部６を中心に開閉されるように手で持つことを基準に左右上下方向を指定して説明する。但し、折畳み式携帯端末１は、第１及び第２の筐体３，５を縦長にして使用することもでき、上下方向に延びるヒンジ部６を中心に左右で開閉するように手で持つこともできるのは、もちろんのことである。詳しくは後述するが、第１の表示装置及び第２の表示装置は、２次元画像及び３次元画像のいずれか一方を選択して表示可能に構成されている。
【００３４】
図７〜図１２に示すように、第１及び第２の筐体３，５は、例えば、内部が空洞の樹脂成形品、金属成形品等よりなり、観察者側（表面側）の第１及び第２メインキャビ３ａ，５ａと、裏面側の第１及び第２リヤキャビ３ｂ，５ｂとをそれぞれ含むものとする。第１及び第２メインキャビ３ａ，５ａの表面側には、それぞれ透明な樹脂シート、樹脂パネルなどを含む第１及び第２固定プレート７，８が嵌め込まれて両面テープ等により固定されている。この第１及び第２固定プレート７，８は、それぞれ裏面側にタッチパネル９を含んでいる。第１及び第２リヤキャビ３ｂ，５ｂの裏面側は平坦となっている。
【００３５】
上記第１及び第２固定プレート７，８の内側には、第１及び第２表示モジュール１１，１２がそれぞれ配置されている。この第１表示モジュール１１は、表面側に、第１表示パネルとしての第１液晶パネル１３を備えている。この第１液晶パネル１３の奥側には、第１バックライト１５が設けられている。そして、第１表示モジュール１１は、第１の筐体３に対して、ヒンジ部６に対して垂直方向（上下方向）にスライド移動可能に配置されている。同様に第２表示モジュール１２は、表面側に、第２表示パネルとしての第２液晶パネル１４を備えている。この第２液晶パネル１４の奥側にも、バックライト１６が設けられている。そして、第２表示モジュール１２は、第２の筐体５に対し、ヒンジ部６に対して垂直方向（上下方向）にスライド移動可能に配置されている。
【００３６】
詳しくは図示しないが、第１及び第２液晶パネル１３，１４は、公知の任意の液晶表示パネルであってよく、例えばＴＦＴ型のＶＡモードの液晶表示パネルである。第１及び第２液晶パネル１３，１４は、それぞれＴＦＴ基板及び対向基板を有し、ＴＦＴ基板と対向基板との間には液晶層が設けられている。ＴＦＴ基板にはＴＦＴや画素電極が設けられ、対向基板にはカラーフィルタや対向電極が設けられている。液晶層は、シール部によって、ＴＦＴ基板と対向基板との間に保持されている。対向基板の観察者側（図７における上側）、ＴＦＴ基板の観察者側と反対側（図７における下側）には、それぞれ、光学フィルム層が設けられている。光学フィルム層は、偏光板や、必要に応じて設けられる位相差板を含む。本実施形態では、第１及び第２液晶パネル１３，１４は、２次元画像及び３次元画像のいずれか一方を選択して表示可能に構成されている。３次元表示を可能とする視差バリア方式では、図１８に示すように、液晶パネル上に左目用画像Ｌと、右目用画像Ｒとをそれぞれ間隔を空けて配置し、その前側に視差バリアを設けることで、左目には左目用画像Ｌを、右目には右目用の画像Ｒを見せるようにすることで、立体的な３次元画像を表示可能に構成されている。この原理を利用するために実際の構成としては、図１０及び図１９等に示すように、第１及び第２液晶パネル１３，１４のバックライト１５，１６側にスイッチ液晶１９がそれぞれ設けられている。このことで、図１９（ａ）に示すように、２次元表示の場合はスイッチ液晶１９の視差バリアを透明化させて平面状の映像をそのまま表示し、図１９（ｂ）に示すように、３次元表示の場合は視差バリアを発光させることにより光を分離させて立体的な映像を表示可能に構成されている。左目用画像Ｌと右目用画像Ｒとは、例えば、左右に適宜距離を空けて配置したカメラでそれぞれそれぞれ撮影した画像を用いればよい。
【００３７】
一方、折畳み式携帯端末１に開閉方向検出部６２を設けることで、ユーザが折畳み式携帯端末１を、ノートパソコンのように上下に開く方向に持っているか、新聞開きのように左右に開く方向に持っているかを検出するようにしてもよい。開閉方向検出部６２の構成は特に限定されず、各種センサにより自動で検出してもよいし、手動入力により検出してもよい。そして、このスイッチ液晶１９の視差バリアの配列方向並びに第１及び第２液晶パネル１３，１４上の左目用画像Ｌ及び右目用画像Ｒの配列方向を、開閉方向検出部６２で検出した折畳み式携帯端末１の持ち方に合わせて変更させることで、上下に開き操作を行ったときと、左右に開き操作を行ったときとのいずれの場合にも３次元表示を行うことができるようになる。
【００３８】
また、詳しくは図示しないが、第１リヤキャビ３ｂには、第１基板１７が設けられ、第２リヤキャビ５ｂには、第２基板１８（共に図７にのみ示す）が設けられると共に、第１又は第２リヤキャビ３ｂ，５ｂには、バッテリが設けられている。そして、第１基板１７と第２基板１８とがフレキシブル基板等により互いに接続されている。図２０に示すように、例えば、第１基板１７又は第２基板１８にはＣＰＵ７０が設けられ、このＣＰＵ７０にシステムバス７１を介して各構成要素が接続されている。第１及び第２表示モジュール１１，１２は、表示モジュールコントローラ７２によって制御される。
【００３９】
図１０に示すように、第１及び第２液晶パネル１３，１４は、それぞれ複数の画素が配列された表示領域２０と、その周辺の額縁領域２１とを有している。この額縁領域２１には、一対のガラス基板を互いに対向させるとともに液晶層を密閉して保持するためのシール部や、画素を駆動するための駆動回路実装部（いずれも図示せず）等が設けられている。このため、第１及び第２液晶パネル１３，１４には表示に寄与しない額縁領域２１が存在している。
【００４０】
本実施形態の第１及び第２液晶パネル１３，１４の表面は、それぞれ導光パネル２４で覆われ、この導光パネル２４のヒンジ部６側端部には、導光素子２５が設けられている。この導光素子２５によって、表示領域２０における額縁領域２１近傍の画像が、第１液晶パネル１３のヒンジ部６側端部一杯まで広げられている。導光素子２５は、詳しくは図示しないが、例えば、複数の透明層と複数の金属層が積層された積層体を用いることができる。導光素子２５に入射面から入射した光は、側面に平行に透明層内を伝播し、出射面から観察者側に向けて出射される。このとき、透明層に入射した光は、隣接する金属層で反射されながら、透明層内を伝播する。入射面には様々な角度から光が入射するが、シート積層体は、金属層における金属反射を利用するので、入射角度に関わらず全ての光を導光させることができる。また、導光素子２５として、側面の少なくとも一部が金属部で覆われた略円柱形の透明部を含む複数の導光部を有するものを用いることができる。さらに、導光素子２５として、複数の透光層が積層されたシート積層体を用いることもできる。また、画像処理プロセッサ７３により継ぎ目処理が行われたり、３次元グラフィックエンジンにより３次元表示の制御も行われる。
【００４１】
そして、例えば、図１３に示すように、第１及び第２の筐体３，５には、上記第１及び第２表示モジュール１１，１２がそれぞれ収容される矩形状の収容凹部３ｃ，５ｃが形成され、その左右側壁が、それぞれヒンジ部６の長手方向に対して垂直な上下方向に延びる一対のスライド側壁３ｄ，５ｄを構成している。さらに、第１及び第２表示モジュール１１，１２は、収容凹部３ｃ，５ｃのヒンジ部６と反対側の壁面にそれぞれ配置された付勢部材としての板バネ２７によって、ヒンジ部６側へ押圧され、互いに当接するように付勢されている。このことで、各スライド側壁３ｄ，５ｄに第１及び第２表示モジュール１１，１２の左右側面がそれぞれ摺接しながら各スライド側壁３ｄ，５ｄに沿ってスライドするようになっている。付勢部材として板バネ２７を選択しているので、軽量且つ丈夫で、狭い隙間でも大きなストロークが確保されている。
【００４２】
そして、例えば、図１４に示すように、第１及び第２の筐体３，５のスライド側壁３ｄ，５ｄには、左右外側へ凹陥された停止用凹部２８ａがそれぞれ形成されている。この停止用凹部２８ａに対応させて第１及び第２表示モジュール１１，１２の第１及び第２バックライト１５，１６には、左右外側へ突出する突起２８ｂが形成されている。これら停止用凹部２８ａとそれに対応する突起２８ｂとの組み合わせにより、第１及び第２の筐体３，５の開閉角度αが所定角度以下になると、第１及び第２表示モジュール１１，１２のスライド移動を規制するストッパ２８の役割を果たしている。具体的には、例えば開閉角度αが９０°（α＝９０°）となったときに、突起２８ｂが停止用凹部２８ａのスライド方向の内壁２８ｃに当接して第１及び第２表示モジュール１１，１２のスライド移動を規制するように構成されている。
【００４３】
そして、図１０〜図１２に示すように、ヒンジ部６は、第１の筐体３と第２の筐体５とを開閉する際に、側面視で、第１の表示装置２の表面側角部、すなわち、第１固定プレート７のヒンジ部側角部７ａと、第２の表示装置４の表面側角部、すなわち、第２固定プレート８のヒンジ部側角部８ａとが、互いに当接した状態で、ヒンジ部６に対して直線状の軌跡で移動するように、第１の筐体３と第２の筐体５とを接続している。さらに、ヒンジ部６により、第１の筐体３と第２の筐体５との全閉時において、第１固定プレート７のヒンジ部側角部７ａと、第２固定プレート８のヒンジ部側角部８ａとが所定の隙間ｃを空けて配置されるように構成されている。
【００４４】
図１５〜図１７に示すように、ヒンジ部６は、第１及び第２の筐体３，５の対向するヒンジ部６側端部の左右側面３ｅ，５ｅをそれぞれ外側から覆う金属製又は強化繊維樹脂製等のガイドプレート３０を備えている。また、ヒンジ部６は、第１の筐体３の対向する左右側面３ｅにそれぞれ間隔を空けて連結された第１及び第２ガイドピン３１，３２を備え、第２の筐体５の対向する左右側面５ｅにそれぞれ間隔を空けて連結された第３及び第４ガイドピン４１，４２を備えている。
【００４５】
ガイドプレート３０は、第１方向に延び、第１ガイドピン３１の移動軌跡を規制する第１ガイド孔３３を備えている。第１方向とは、折畳み式携帯端末１を１８０°に全開したときに、その厚さ方向（図７の上下方向）を示す。図１５等では明らかではないが、例えば、第１ガイド孔３３の端部は、図１５の左方へ若干湾曲している。第２ガイドピン３２は、第２ガイド孔３４よりも径の大きい鍔部３２ａを有し、この第２ガイド孔３４から抜け止めされている。また、ガイドプレート３０には、この第１方向とは異なる第２方向に延び、第２ガイドピン３２の移動軌跡を規制する第２ガイド孔３４が形成されている。第２方向とは、同じく折畳み式携帯端末１を１８０°に全開したときの水平方向を示す。本実施形態では、第２ガイド孔３４は、第１ガイド孔３３に対して略垂直な直線形状であるが、第１ガイド孔３３に対して傾斜していても湾曲していてもよい。
【００４６】
同様にガイドプレート３０は、第３方向に延び、第３ガイドピン４１の移動軌跡を規制する第３ガイド孔４３を備えている。第３方向とは、折畳み式携帯端末１を１８０°に全開したときの、その厚さ方向を示す。図１５等では明らかではないが、第３ガイド孔４３の端部も、図１５の右方へ若干湾曲している。第４ガイドピン４２も、第４ガイド孔４４よりも径の大きい鍔部４２ａを有し、この第４ガイド孔４４から抜け止めされている。また、ガイドプレート３０には、この第３方向とは異なる第４方向に延び、第４ガイドピン４２の移動軌跡を規制する第４ガイド孔４４が形成されている。第４方向とは、同じく折畳み式携帯端末１を１８０°に全開したときの水平方向を示す。本実施形態では、第４ガイド孔４４も、第３ガイド孔４３に対して略垂直な直線形状であるが、第３ガイド孔４３に対して傾斜していても湾曲していてもよい。
【００４７】
第１及び第３ガイド孔３３，４３と第１及び第３ガイド孔３４，４４の形状は、それぞれ第１及び第２の筐体３，５の角部と合わせて３点で決まる平面の軌跡を決定するように構成されており、第１及び第２の筐体３，５の角部の軌跡を任意に設定可能となっている。
【００４８】
図７の手前側から見て第１方向と第３方向とは、互いに左右対称であり、同様に第２方向と第４方向とは、互いに左右対称となっている。
【００４９】
そして、第１及び第３ガイドピン３１，４１は、ガイドプレート３０における第１及び第２の筐体３，５の反対側の連結部５１で互いに連結されている。連結部５１は、樹脂成形品、金属成形品等よりなり、エラストマーのように可撓性を有していてもよい。
【００５０】
そして、ガイドプレート３０上の第１及び第３ガイド孔３３，４３の間には、直線状の第５ガイド孔５０が形成されている。第５ガイド孔５０は、図７の状態で、第１及び第３ガイド孔３２，４２よりも若干下方へずれて配置されている。この第５ガイド孔５０には、第１及び第３ガイドピン３１，４１の連結部５１に結合された第５ガイドピン５２が挿通されている。
【００５１】
このように簡単な構成で、各ガイドピン３１，３２，４１，４２の移動規制が可能となっている。
【００５２】
そして、ヒンジ部６は、第１及び第２の筐体３，５のヒンジ部６側端部を覆う保護カバー６０を備えている。具体的には、この保護カバー６０は、左右のガイドプレート３０に連結され、このガイドプレート３０の外周と同等の矩形枠状の可撓性を有する材料よりなる。この保護カバー６０により、第１及び第２の筐体３，５の内部が外観に現れるのが防止されている。なお、保護カバー６０を金属成形品で構成してもよく、ガイドプレート３０と保護カバー６０とを一体に形成して部品点数を減らすようにしてもよい。
【００５３】
このようなヒンジ部６の構成により、折畳み開閉動作中、第１固定プレート７と第２固定プレート８とは、ヒンジ部６側端部で接触し、また、第１及び第２表示モジュール１１，１２は、互いに当接するようにスライド移動してヒンジ部６側端部で接触するように構成されている。そして、第１及び第２の筐体３，５の開閉角度αが１８０度（α＝１８０°）になったときに、第１及び第２リヤキャビ３ｂ，５ｂと保護カバー６０とは、平坦となっている。この平坦な状態で、図示しない機械的ロック手段等により第１及び第２の筐体３，５が開閉角度αが１８０°の状態から開いたり閉じたりしないようにロック可能に構成されている。
【００５４】
また、詳しくは図示しないが、ヒンジ部６には、第１の筐体３と第２の筐体５との間の開閉角度αを検出する開閉角度検出部６３が設けられている。この開閉角度検出部６３の構成は特に限定されず、各種の接触センサ、非接触センサで構成すればよい。
【００５５】
−折畳み式携帯端末の使用方法−
次に、本実施形態にかかる折畳み式携帯端末１の使用方法の一例について説明する。
【００５６】
図２１に示すように、まず、ステップＳ０１で電源をＯＮにする。
【００５７】
次いで、ステップＳ０２において、表示する画像の選択を選ぶ。
【００５８】
ステップＳ０３において、外部又は内部の記憶媒体上の、又は無線又は有線による通信による３次元画像か２次元画像を選択する。２次元画像を選択した場合には、ステップＳ０４に進む。
【００５９】
ステップＳ０４では、２次元画像をそのまま２次元画像として表示するか、２次元画像を擬似的に３次元画像として表示するかを選択する。
【００６０】
２次元画像として表示する場合には、ステップＳ０５に進んで、２次元画像を表示する。
【００６１】
＜２次元表示＞
２次元画像を表示する場合、まず、図１に示す折畳み式携帯端末１の１８０°の全開時には、第１及び第２固定プレート７，８が完全に連続して一枚の板状の端末のように見える。
【００６２】
このとき、図１５に示すように、第１，第３及び第５ガイドピン３１，４１，５２は、それぞれ第１，第３及び第５ガイド孔３３，４３，５０におけるヒンジ部６の厚さ方向上端に位置している。第２及び第４ガイドピン３２，４２は、それぞれ、第２及び第４ガイド孔３４，４４の左右中央側の端部に位置している。この全開姿勢では、保護カバー６０が第１及び第２の筐体３，５のヒンジ部６側端部を覆っているので、第１及び第２の筐体３，５の内部が露出せず、見映えがよい。しかも、この保護カバー６０を含め、裏面側全体が完全に平坦なので、机上等においてもぐらつかず、快適に操作を行える。図１３に示すように、第１及び第２表示モジュール１１，１２は、それぞれ板バネ２７に付勢されて互いにヒンジ部６側で当接し、連続している。しかも、図１０に示すように、第１及び第２液晶パネル１３，１４のヒンジ部側表面端部に設けた導光素子２５によって表示領域２０が、第１及び第２液晶パネル１３，１４のヒンジ部６側端部一杯まで広げられる。そして、画像処理プロセッサ７３で継ぎ目処理を行うことで、各表示領域２０を完全に連続するように見せることができる。このため、２つの２次元画像を連続させた継ぎ目のない大画面の実現が可能となる。さらに、第１及び第２固定プレート７，８は、それぞれタッチパネル９を含むので、連続した画像を見ながら、第１及び第２の筐体３，５間で指を連続して移動させるような滑らかなタッチパネル９の操作が可能となる。また、全開状態で固定されるので、適度に傾ければ大きな２次元画像がさらに見やすくなる。
【００６３】
全開の状態から、図２及び図３に示すように、第１及び第２の筐体３，５を徐々に閉じていく。すると、図１６に示すように、第１，第３及び第５ガイドピン３１，４１，５２は、それぞれ第１，第３及び第５ガイド孔３３，４３，５０におけるヒンジ部６の厚さ方向中央に移動する。同時に第２及び第４ガイドピン３２，４２は、それぞれ、第２及び第４ガイド孔３４，４４の左右中央側の端部から互いに離れる方向に移動する。このとき、第１及び第３ガイドピン３１，４１の連結部５１にさらに第５ガイドピン５２を結合して、その第５ガイドピン５２を第１及び第３ガイド孔３３，４３の間の直線状の第５ガイド孔５０に挿通させて移動規制することにより、第１及び第３ガイドピン３１，４１が別々に不安定な方向に移動することなく、確実にヒンジ部６に対して直線状の軌跡を描きながら移動させることができ、第１の筐体３と第２の筐体５の開閉がスムーズに行われる。そして、連結部５１に可撓性材料を用いれば、伸縮可能に連結するができ、第１及び第３ガイド孔の形状が曲線状の場合に第１及び第３ガイドピン３１，４１の間隔が広がっても第１の筐体３と第２の筐体５との開閉操作がスムーズに行われる。このようにして、ヒンジ部６により、第１の筐体３と第２の筐体５とを開閉する際に、第１固定プレート７のヒンジ部側角部７ａと、第２固定プレート８のヒンジ部側角部８ａとが互いに干渉せずにヒンジ部６に対して直線状の軌跡で移動するように規制される。このため、第１及び第２固定プレート７，８等がそれぞれ厚みをもっていても、各ヒンジ部側角部７ａ，８ａが互いに当接した状態が保たれる。
【００６４】
図３に示すように、第１及び第２の筐体３，５の開閉角度αが９０°（α＝９０°）になるときには、第１及び第２の筐体３，５のスライド側壁３ｄ，５ｄに設けた停止用凹部２８ａのスライド方向内壁２８ｃに、第１及び第２バックライト１５，１６にそれぞれ設けた突起２８ｂが当接する。このことで、第１及び第２表示モジュール１１，１２のそれ以降のスライド移動が規制される。すなわち、この角度よりも小さい角度では、ユーザが画面を見ながら使用することはまずないので、それ以下の開閉角度αで第１及び第２表示モジュール１１，１２の移動を制限して第１及び第２表示モジュール１１，１２間の表示領域２０に隙間が生じても不都合はない。このように、ストッパ２８により、必要以上に第１及び第２表示モジュール１１，１２を移動させなくてすむので、構造の簡易化が可能となる。
【００６５】
次いで、図４及び図５のように折畳み式携帯端末１をさらに閉じていく。第１及び第３ガイド孔３３，４３の形状が端部に向かって若干互いに広がっていることから、全閉の手前で第１固定プレート７のヒンジ部側角部７ａと、第２固定プレート８のヒンジ部側角部８ａとが離れて隙間が生じる。
【００６６】
そして、図６に示す折畳み式携帯端末１の０°の全閉時には、図１７に示すように、第１，第３及び第５ガイドピン３１，４１，５２は、それぞれ第１，第３及び第５ガイド孔３３，４３，５０におけるヒンジ部６の厚さ方向下端に位置している。第２及び第４ガイドピン３２，４２は、それぞれ、第２及び第４ガイド孔３４，４４の左右中央側の端部に戻っている。図１２に示すように、全閉時には第１固定プレート７のヒンジ部側角部７ａと、第２固定プレート８のヒンジ部側角部８ａとが離れて隙間ｃが生じる。
【００６７】
また、この全閉姿勢では、保護カバー６０が第１及び第２の筐体３，５のヒンジ部６側端部を覆っているので、第１及び第２の筐体３，５の内部が露出せず、見映えがよい。また、ストッパ２８によってスライド移動が停止されていた第１及び第２表示モジュール１１，１２は、保護カバー６０によって若干押し戻されて保護カバー６０内に収まる。
【００６８】
第１〜第４ガイド孔３３，３４，４３，４４の形状を調整することにより、各ガイドピン３１，３２，４１，４２の移動軌跡を規制することで、各表面側角部７ａ，８ａの移動軌跡を適切に調整することができる。このため、各表面側角部７ａ，８ａが近付きすぎず且つ離れすぎずに当接したまま互いに干渉して開閉が行えなくならないように移動規制が可能となる。
【００６９】
このようなヒンジ部６の作用により、第１固定プレート７のヒンジ部側角部７ａと第２固定プレート８のヒンジ部側角部８ａとが、ヒンジ部６に対して直線状の軌跡を保って移動するので、互いに干渉せず、しかも、全閉時には隙間ｃを空けるように移動規制することにより、開閉途中において、各表面側角部に間隔を空ける必要がない。そして、第１及び第２の筐体３，５の開閉操作に合わせて各モジュール１１，１２が各筐体３，５内でスライド移動するので、各表示モジュール１１，１２のヒンジ部６側端部を接触させた状態を保つことができる。このことで、連続した画像の表示が可能となる。
【００７０】
したがって、ヒンジ部６によって、第１の筐体３と第２の筐体５とを開閉する際に、側面視における第１固定プレート７のヒンジ部側角部７ａと、第２固定プレート８のヒンジ部側角部８ａとの移動軌跡を規制するようにしたことにより、第１の筐体３と第２の筐体５とを接続している第１及び第２の筐体３，５の開閉途中において、各表示装置２，４の表面を連続させながら、全閉も行うことができる。
【００７１】
さらに、各筐体３，５に固定された固定プレート７，８の内側で、各表示モジュール１１，１２を互いに当接するようにスライド移動させるようにしたことにより、第１及び第２の筐体３，５の開閉途中において、表示領域２０が連続した大きな２次元画像を表示することができる。
【００７２】
＜３次元表示＞
ステップＳ０６において、ユーザが折畳み式携帯端末１を上下方向に開くように持っているか、左右方向に開くように持っているかを開閉方向検出部６２により検出する。通常使用では、机上に置いたりして上下方向に第１の筐体３を第２に筐体５に対して開く。電子図書のように左右の手で持つ場合には、第１の筐体３と第２の筐体５とが互いに開くようにして開く。ここでは、上下に開く方向の場合について説明するが、左右に開く場合も同様に３次元表示が行える。上下に開く方向の場合、視差バリアが上下に（すなわち、ヒンジ部６の軸心に垂直に）伸び、左目用画像Ｌ及び右目用画像Ｒが左右に並んで配列され、左右に開く方向の場合、左右に持った状態で視差バリアが上下に（すなわち、ヒンジ部６の軸心に平行に）伸び、左目用画像Ｌ及び右目用画像Ｒが左右に並んで配列される。
【００７３】
次いで、ステップＳ０７において、開閉角度検出部６３で検出された開閉角度αを読み込む。例えば、開閉角度αが０°の状態から開く場合（０＜α＜１８０°）には、表示モジュールコントローラ７２が、第１表示モジュール１１のみが３次元表示を行うように制御する。一方、第２表示モジュール１２では、一切表示を行わなかったり、第１表示モジュール１１の３次元表示を阻害しない２次元表示を行う。
【００７４】
そして、ステップＳ０８において、３次元表示グラフィックエンジン７４及び表示モジュールコントローラ７２により、開閉角度αに合わせて表示する３次元画像の大きさを変更する。
【００７５】
このことで、ステップＳ０９において、開閉角度αが大きくなるにつれて３次元画像が大きく表示される。
【００７６】
なお、ステップＳ０７においては、開閉角度αに合わせて３次元表示の飛び出し感又は奥行き感を変更させるようにしてもよい。この飛び出し感又は奥行き感を体感させる原理について簡単に説明すると、例えば、左右に離れたカメラでそれぞれ撮影した左目用画像Ｌ及び右目用画像Ｒの画像のずれ間隔を調整することで、図２３（ａ）に示すように、画面の前で左右の画像が交わるようにすれば、人間の脳で左右の視線が画面よりも前で交わって、画面から飛び出したように３次元画像として認識される。また、図２３（ｂ）に示すように、画面の後ろで左右の画像が交わるようにすれば、人間の脳で左右の視線が画面よりも後ろで交わって画面の奥の方に３次元画像があるように認識される。この原理を利用し、開閉角度αが小さいときには奥まって３次元画像を表示し、開閉角度αが大きくなるにつれて手前側に飛び出すように表示するように制御する。
【００７７】
このように制御することで、第１の筐体３と第２の筐体５との開閉角度αを小さくすると小さな３次元画像が表示されるので、周りの視線を気にせず鑑賞が行える。一方、周囲の人に見られてもよい場合には、開閉角度αを徐々に大きくしてより大きな３次元画像で鑑賞すれば、より臨場感を得ながら鑑賞が行える。
【００７８】
開閉角度αが１８０°すなわち、全開操作時（α＝１８０°）には、第１の表示装置２及び第２の表示装置４のいずれもが３次元表示を行う。画像処理プロセッサ７３で継ぎ目処理が行われると共に、３次元表示グラフィックエンジン７４及び表示モジュールコントローラ７２により、第１表示モジュール１１及び第２表示モジュール１２のいずれにおいても、左目用画像Ｌと右目用画像Ｒとが上下で連続するように映し出される。そして、いずれのスイッチ液晶１９もＯＮとなる。このことで、２つの表示モジュール１１，１２を利用した最も大きな臨場感のある３次元画像が楽しめる。また、周囲の複数人で画像を見ることができる。また、全開状態で固定されるので、適度に傾ければ大きな３次元画像がさらに見やすくなる。
【００７９】
なお、逆に全開操作時から閉じる開閉操作時（０＜α＜１８０°）においては、開閉角度αが小さくなるにつれて３次元画像が小さく表示され、又は、開閉角度αが小さくなるにつれて３次元画像が奥まって表示される。
【００８０】
（実施形態２）
図２４〜図３２は本発明の実施形態２を示し、ヒンジ部１０６の構成が異なる点で上記実施形態１と異なる。なお、本実施形態では、図１〜図２３と同じ部分については同じ符号を付してその詳細な説明は省略する。
【００８１】
すなわち、本実施形態の携帯端末１０１では、ヒンジ部１０６は、第１の筐体３と第２の筐体５とが全閉時の合わせ面に中心軸がくるように、第１の筐体３と第２の筐体５とにそれぞれボス部１０６ａ，１０６ｂが形成されている。左右のボス部１０６ａ，１０６ｂに中心軸としてヒンジ軸１０６ｃを挿入することで、第１の筐体３と第２の筐体５とがヒンジ部１０６を中心に回動可能に連結されている。図示しないが、例えば、ヒンジ軸１０６ｃ内に付勢機構を設ければ、所定の角度で保持しやすくしたり、開閉動作を補助させたりすることができる。
【００８２】
上記実施形態１では、ストッパ２８は、第１及び第２の筐体３，５のスライド側壁３ｄ，５ｄに凹陥された停止用凹部２８ａと、第１及び第２バックライト１５，１６の突起２８ｂとで構成したが、本実施形態でも上記実施形態１と同様のストッパ２８を設ければよい。本実施形態では、図３１に示すように、５０°前後でストッパ２８により、第１及び第２表示モジュール１１，１２のスライド移動を停止させるようにしてもよい。
【００８３】
その他の構成部品は、上記実施形態１と同様であるので、その説明は省略する。
【００８４】
次に、本実施形態にかかる折畳み式携帯端末１０１の作動について、特に実施形態１と異なる点を中心に説明する。
【００８５】
まず、本実施形態においても、図２４、図２５及び図２９に示す折畳み式携帯端末１の１８０°の全開時には、第１及び第２固定プレート７，８が完全に連続して一枚の板状の端末のように見える。
【００８６】
本実施形態では、ヒンジ部１０６に対して第１の筐体３及び第２の筐体５は、回動動作のみを行う。第１及び第２固定プレート７，８のヒンジ部側角部７ａ，８ａの位置は、ヒンジ軸１０６ｃの中心に一致している。
【００８７】
このため、図２９〜図３２に示すように、全開から全閉に移り変わる際にも、常に第１及び第２固定プレート７，８のヒンジ部側角部７ａ，８ａの位置は、ヒンジ軸１０６ｃの中心と一致している。
【００８８】
一方で、第１及び第２表示モジュール１１，１２は、それぞれ上記実施形態１と同様にヒンジ部１０６に向かって互いに当接するように付勢され、導光素子２５を有する第１及び第２液晶パネル１３，１４のヒンジ部側端部が常に互いに当接しているので、画像が連続する。
【００８９】
図３１に示すように、閉じる角度が約５０°になったときに、第１及び第２バックライト１５，１６の突起２８ｂがスライド方向内壁２８ｃに当接するので、第１及び第２表示モジュール１１，１２のスライド移動が停止する。このため、それ以上第１及び第２表示モジュール１１，１２がスライド移動することはない。
【００９０】
図３２に示す全閉時には、第１及び第２固定プレート７，８の表面が互いに合わさっている。本実施形態において、例えは保護カバー６０は伸縮性のある材料で構成されている。このため、上記実施形態１と同様に、ストッパ１２８によってスライド移動が停止されていた第１及び第２表示モジュール１１，１２は、保護カバー６０によって若干押し戻されて保護カバー６０内に収まるようにすれば、構造も簡単で見映えもよくなる。なお、保護カバー６０の構成は、これに限定されず、詳しくは図示しないが、例えば、側面から見た断面が円弧状のヒンジ部１０６に沿って延びる３つの部材で構成し、開閉に伴って重なったり、離れたりするように構成してもよい。この場合には、全開時に第１及び第２の筐体３，５の裏面よりも引っ込むようにすれば、裏面側を平坦にすることもできる。また、全閉時に第１及び第２表示モジュール１１，１２を押し戻す機構を別途設ければよい。
【００９１】
なお、第１及び第２固定プレート７，８の表面に薄い保護膜を貼り付ける場合には、全閉時に、この保護膜分の隙間が空くようにヒンジ軸１０６ｃとヒンジ部側角部７ａ，８ａとの位置関係を調整すればよい。
【００９２】
したがって、本実施形態にかかる折畳み式携帯端末１０１においても、第１及び第２の筐体３，５の開閉途中において、表示領域が連続した大きな画面を表示することができる。
【００９３】
そして、３次元表示を行う場合には、上記実施形態１と同様に開閉角度αが０°＜α＜１８０°のときには、開閉操作に合わせて３次元画像の大きさや奥行き感を変化させ、開閉角度αが１８０（α＝１８０°）のときには、２つの表示モジュールで１つの大きな３次元画像が楽しめる。
【００９４】
（その他の実施形態）
本発明は、上記実施形態について、以下のような構成としてもよい。
【００９５】
すなわち、上記実施形態では、視差バリア方式を用いて３次元表示を行っているが、かまぼこ型レンズの光の屈折を利用して左右それぞれの映像を見せるレンチキュラー方式で３次元画像を表示するようにしてもよい。但し、この場合には、２次元表示との切り換えはできないので、開閉角度αが０°＜α＜１８０°では、第１表示モジュール１１又は第２表示モジュール１２のいずれかのみで３次元画像を表示し、他方は表示しないようにし、開閉角度αが１８０°の全開操作時（α＝１８０°）には、両方のモジュールで３次元画像を連続させて表示させるようにすればよい。また、メガネを用いた３次元表示でもよい。
【００９６】
また、上記実施形態では、付勢部材は、板バネ２７としたが、この板バネ２７と同様の位置に圧縮コイルバネを設けて第１及び第２表示モジュール１１，１２をヒンジ部６側に押し付けるようにしてもよく、また、引っ張りコイルバネによって突起２８ｂをヒンジ部６側に引っ張って第１及び第２表示モジュール１１，１２をヒンジ部６側に引き寄せるようにしてもよい。この場合にも、第１及び第２表示モジュール１１，１２が常に圧縮コイルバネや引っ張りコイルバネで付勢されて適切な力で互いに押し合うので、簡単な構成で、開閉途中において連続した画像の表示が可能となる。
【００９７】
上記各実施形態では、ストッパ２８は、第１及び第２の筐体３，５のスライド側壁３ｄ，５ｄに凹陥された停止用凹部２８ａと、第１及び第２バックライト１５，１６の突起２８ｂとで構成したが、これに限定されない。例えば、図３３に示すように、ストッパ１２８として、第１バックライト１５のヒンジ部１０６側端部の右に、右方向に突設した係止用突起１２８ａと、第２バックライト１６のヒンジ部１０６側端部の左側に、左方向に突設した係止用突起１２８ａとを設けてもよい。この右側の係止用突起１２８ａに対応させて第１の筐体３にヒンジ部１０６側へ突設したＬ字状突起１２８ｂを設け、左側の係止用突起１２８ａに対応させて第２の筐体５にヒンジ部１０６側へ突設したＬ字状突起１２８ｂを設ける。右側のＬ字状突起１２８ｂに対向する第２の筐体５には、このＬ字状突起１２８ｂが収納されるように接触防止用凹部１２８ｃが凹陥され、左側のＬ字状突起１２８ｂに対向する第１の筐体３には、このＬ字状突起１２８ｂが収納されるように接触防止用凹部１２８ｃが凹陥されている。このストッパ１２８においても、上記各実施形態のストッパ２８と同様の作用効果が得られる。なお、ストッパ１２８の構成部品として必ずしも第１及び第２バックライト１５，１６のヒンジ部１０６側端部に係止用突起１２８ａを設ける必要はなく、第１及び第２の筐体３，５の開閉角度αが所定角度以下になると、Ｌ字状突起１２８ｂが第１及び第２バックライト１５，１６のヒンジ部１０６側端部そのものに当接して第１及び第２表示モジュール１１，１２のスライド移動を規制するように構成してもよい。この場合、Ｌ字状突起１２８ｂを押し込み可能に構成すれば、全閉時に保護カバー６０によって押し込むことができる。
【００９８】
上記各実施形態では、第１及び第２表示モジュール１１，１２に第１及び第２液晶パネル１３，１４を設けたが、このような液晶表示装置に限らず、ＰＤＰ、有機ＥＬ表示装置、電気泳動表示装置を設けてもよい。この場合にも、同様の導光素子２５を設ければ、連続した画面の表示が可能となる。
【００９９】
なお、以上の実施形態は、本質的に好ましい例示であって、本発明、その適用物や用途の範囲を制限することを意図するものではない。
【産業上の利用可能性】
【０１００】
以上説明したように、本発明は、携帯電話機、ＰＨＳ（Personal Handy-phone System ）、ＰＤＡ(Personal Digital Assistant)、パソコン、モバイルツール、電子書籍専用端末、電子辞書、電卓、ゲーム機等の折畳み式の携帯端末について有用である。
【符号の説明】
【０１０１】
１      折畳み式携帯端末
２      第１の表示装置
３      第１の筐体
３ｅ，５ｅ    左右側面（各側面）
４      第２の表示装置
５      第２の筐体
６      ヒンジ部
７      第１固定プレート
７ａ    ヒンジ部側角部（表示部側端部）
８      第２固定プレート
８ａ    ヒンジ部側角部（表示部側端部）
９      タッチパネル
１１      第１表示モジュール
１２      第２表示モジュール
１３      第１液晶パネル（第１表示パネル）
１４      第２液晶パネル（第２表示パネル）
１９      スイッチ液晶
２０      表示領域
２１      額縁領域
２４      導光パネル
２５      導光素子
２７      板バネ（付勢部材）
３０      ガイドプレート
３１      第１ガイドピン
３２      第２ガイドピン
３３      第１ガイド孔
３４      第２ガイド孔
４１      第３ガイドピン
４２      第４ガイドピン
４３      第３ガイド孔
４４      第４ガイド孔
５０      第５ガイド孔
５１      連結部
５２      第５ガイドピン
６０      保護カバー
６２      開閉方向検出部
６３      開閉角度検出部
【図１】
2012123205.tif 000003
【図２】
2012123205.tif 000004
【図３】
2012123205.tif 000005
【図４】
2012123205.tif 000006
【図５】
2012123205.tif 000007
【図６】
2012123205.tif 000008
【図７】
2012123205.tif 000009
【図８】
2012123205.tif 000010
【図９】
2012123205.tif 000011
【図１０】
2012123205.tif 000012
【図１１】
2012123205.tif 000013
【図１２】
2012123205.tif 000014
【図１３】
2012123205.tif 000015
【図１４】
2012123205.tif 000016
【図１５】
2012123205.tif 000017
【図１６】
2012123205.tif 000018
【図１７】
2012123205.tif 000019
【図１８】
2012123205.tif 000020
【図１９】
2012123205.tif 000021
【図２０】
2012123205.tif 000022
【図２１】
2012123205.tif 000023
【図２２】
2012123205.tif 000024
【図２３】
2012123205.tif 000025
【図２４】
2012123205.tif 000026
【図２５】
2012123205.tif 000027
【図２６】
2012123205.tif 000028
【図２７】
2012123205.tif 000029
【図２８】
2012123205.tif 000030
【図２９】
2012123205.tif 000031
【図３０】
2012123205.tif 000032
【図３１】
2012123205.tif 000033
【図３２】
2012123205.tif 000034
【図３３】
2012123205.tif 000035